(57)【要約】無線通信におけるアップリンク（ＵＬ；ｕｐｌｉｎｋ）送信のための繰り返しレベルを適応させるための方法及び装置が提供される。端末（ＵＥ；ｕｓｅｒ  ｅｑｕｉｐｍｅｎｔ）は、ＰＵＣＣＨ（ｐｈｙｓｉｃａｌ  ｕｐｌｉｎｋ  ｃｏｎｔｒｏｌ  ｃｈａｎｎｅｌ）フォーマット別異なる繰り返し回数を構成し、及び前記異なる繰り返し回数のうち、対応する繰り返し回数を使用してＰＵＣＣＨフォーマットを送信する。【選択図】図７
2018515987.tif 000002
【特許請求の範囲】
【請求項１】
無線通信システムにおける端末（ＵＥ；ｕｓｅｒ  ｅｑｕｉｐｍｅｎｔ）がＰＵＣＣＨ（ｐｈｙｓｉｃａｌ  ｕｐｌｉｎｋ  ｃｏｎｔｒｏｌ  ｃｈａｎｎｅｌ）を送信する方法において、
ＰＵＣＣＨフォーマット別異なる繰り返し回数を構成し；及び、
前記異なる繰り返し回数のうち、対応する繰り返し回数を使用してＰＵＣＣＨフォーマットを送信することを含む方法。
【請求項２】
前記ＰＵＣＣＨフォーマット別異なる繰り返し回数は、ＰＵＣＣＨフォーマット別実際繰り返し回数により個別的に構成されることを特徴とする請求項１に記載の方法。
【請求項３】
前記ＰＵＣＣＨフォーマット別異なる繰り返し回数は、ＰＵＣＣＨフォーマット１に対する繰り返し回数との比率により構成されることを特徴とする請求項１に記載の方法。
【請求項４】
前記ＰＵＣＣＨフォーマット１に対する繰り返し回数との比率は、各ＰＵＣＣＨフォーマットに対応するビットの数の増加に応じて増加することを特徴とする請求項２に記載の方法。
【請求項５】
前記ＰＵＣＣＨフォーマットに対する送信電力は、経路損失、前記ＰＵＣＣＨフォーマットを介して送信されるビット数、ペイロード大きさ、割り当てられたリソースブロックの数のうち少なくとも一つによって変更されることを特徴とする請求項１に記載の方法。
【請求項６】
前記ＰＵＣＣＨフォーマットを送信するための電力を計算することをさらに含む請求項１に記載の方法。
【請求項７】
前記ＰＵＣＣＨフォーマットを送信するための電力は、ｍ個のサブフレームにわたって一定であることを特徴とする請求項６に記載の方法。
【請求項８】
前記ＰＵＣＣＨフォーマットを送信するための電力は、ｍ個のサブフレームにわたって推定される電力のうち最小電力であることを特徴とする請求項７に記載の方法。
【請求項９】
無線通信システムにおける端末（ＵＥ；ｕｓｅｒ  ｅｑｕｉｐｍｅｎｔ）が送信電力制御（ＴＰＣ；ｔｒａｎｓｍｉｔ  ｐｏｗｅｒ  ｃｏｎｔｒｏｌ）命令を再設定する方法において、
ネットワークから累積されたＴＰＣ命令を受信し；及び、
繰り返し回数またはカバレッジ向上（ＣＥ；ｃｏｖｅｒａｇｅ  ｅｎｈａｎｃｅｍｅｎｔ）レベルが変更される場合、前記累積されたＴＰＣ命令を再設定することを含む方法。
【請求項１０】
前記繰り返し回数または前記ＣＥレベルは、繰り返しの間に変更されることを特徴とする請求項９に記載の方法。
【請求項１１】
前記累積されたＴＰＣ命令は、ｆc（ｉ）を０に設定して再設定されることを特徴とする請求項９に記載の方法。
【請求項１２】
前記繰り返し回数は、送信電力を制御するために使われることを特徴とする請求項９に記載の方法。
【請求項１３】
前記繰り返し回数は、ＲＲＣ（ｒａｄｉｏ  ｒｅｓｏｕｒｃｅ  ｃｏｎｔｒｏｌ）パラメータ、ＤＣＩ（ｄｏｗｎｌｉｎｋ  ｃｏｎｔｒｏｌ  ｉｎｆｏｒｍａｔｉｏｎ）またはＰＲＡＣＨ（ｐｈｙｓｉｃａｌ  ｒａｎｄｏｍ  ａｃｃｅｓｓ  ｃｈａｎｎｅｌ）ＣＥレベルを介して構成されることを特徴とする請求項１２に記載の方法。
【発明の詳細な説明】
【技術分野】
【０００１】
本発明は、無線通信に関し、より詳しくは、無線通信システムにおけるアップリンク（ＵＬ）送信のための繰り返しレベルを適応させる方法及び装置に関する。
【背景技術】
【０００２】
３ＧＰＰ  ＬＴＥは、高速パケット通信を可能にするための技術である。ＬＴＥ目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
ＬＴＥ−Ａの将来バージョンでは、メータ検針、水位測定、監視カメラの利用、自販機の在庫報告などのようなデータ通信に重点を置き、低値型／低仕様（または、複雑性が低い）端末（ＵＥ；ｕｓｅｒ  ｅｑｕｉｐｍｅｎｔ）を構成することが考慮されてきた。便宜上、これらのＵＥは、ＭＴＣ（ｍａｃｈｉｎｅ  ｔｙｐｅ  ｃｏｍｍｕｎｉｃａｔｉｏｎ）ＵＥと呼ばれる。ＭＴＣ  ＵＥは、送信データ量が少なくて時々アップリンクデータ送信／ダウンリンクデータ受信をするため、低いデータレートによってＵＥの費用及びバッテリ消耗を減らすことが効率的である。特に、ＭＴＣ  ＵＥの動作周波数帯域幅を一層小さくすることで、ＭＴＣ  ＵＥのＲＦ（ｒａｄｉｏ  ｆｒｅｑｕｅｎｃｙ）／ベースバンド複雑性を相当減少させることによってＵＥの費用及びバッテリ消耗が減少されることができる。
【０００４】
一部のＭＴＣ  ＵＥは、住居用建物の地下室またはホイールで覆われた断熱材、金属化されたウィンドウまたは伝統的な厚い壁で囲まれた建物建築で遮蔽された位置に設置されることができる。このようなＭＴＣ  ＵＥは、一般的なＬＴＥ  ＵＥより無線インターフェースで相当大きい侵入損失（ｐｅｎｅｔｒａｔｉｏｎ  ｌｏｓｓｅｓ）を経験することができる。したがって、このようなＭＴＣ  ＵＥに対して、カバレッジ向上が必要である。極端なカバレッジシナリオのＭＴＣ  ＵＥは、非常に低いデータレート、より大きい遅延許容誤差、及び移動性が無いといったような特性を有することができ、したがって、一部のメッセージ／チャネルが要求されない。
【０００５】
ＭＴＣ  ＵＥに対してカバレッジ向上が構成される場合、カバレッジ向上によって多様な特徴が調整される必要がある。
【発明の概要】
【発明が解決しようとする課題】
【０００６】
本発明は、無線通信システムにおけるアップリンク（ＵＬ  ｕｐｌｉｎｋ）送信のための繰り返しレベルを適応させる方法及び装置を提供する。本発明は、アップリンク送信のための繰り返し回数を処理／適応させるための技法（ら）を議論し、これは主にＰＵＣＣＨ（ｐｈｙｓｉｃａｌ  ｕｐｌｉｎｋ  ｃｏｎｔｒｏｌ  ｃｈａｎｎｅｌ）に焦点を合わせている。
【課題を解決するための手段】
【０００７】
一態様において、無線通信システムにおける端末（ＵＥ；ｕｓｅｒ  ｅｑｕｉｐｍｅｎｔ）がＰＵＣＣＨ（ｐｈｙｓｉｃａｌ  ｕｐｌｉｎｋ  ｃｏｎｔｒｏｌ  ｃｈａｎｎｅｌ）を送信する方法が提供される。前記方法は、ＰＵＣＣＨフォーマット別異なる繰り返し回数を構成し、及び前記異なる繰り返し回数のうち、対応する繰り返し回数を使用してＰＵＣＣＨフォーマットを送信することを含む。
【０００８】
他の態様において、無線通信システムにおける端末（ＵＥ；ｕｓｅｒ  ｅｑｕｉｐｍｅｎｔ）が送信電力制御（ＴＰＣ；ｔｒａｎｓｍｉｔ  ｐｏｗｅｒ  ｃｏｎｔｒｏｌ）命令を再設定する方法が提供される。前記方法は、ネットワークから累積されたＴＰＣ命令を受信し、及び繰り返し回数またはカバレッジ向上（ＣＥ；ｃｏｖｅｒａｇｅ  ｅｎｈａｎｃｅｍｅｎｔ）レベルが変更される場合、前記累積されたＴＰＣ命令を再設定することを含む。
【発明の効果】
【０００９】
ＵＬ送信のための繰り返しレベル、特にＰＵＣＣＨのための繰り返しレベルが適切に適応されることができる。
【図面の簡単な説明】
【００１０】
【図１】無線通信システムを示す。
【図２】３ＧＰＰ  ＬＴＥの無線フレームの構造を示す。
【図３】一つのＤＬスロットに対するリソースグリッド（ｒｅｓｏｕｒｃｅ  ｇｒｉｄ）を示す。
【図４】ＤＬサブフレームの構造を示す。
【図５】ＵＬサブフレームの構造を示す。
【図６】サブフレームバンドリングの例を示す。
【図７】本発明の一実施例に係る端末がＰＵＣＣＨを送信する方法を示す。
【図８】本発明の一実施例によってＵＥがＴＰＣ命令を再設定する方法を示す。
【図９】本発明の実施例が具現される無線通信システムを示す。
【発明を実施するための形態】
【００１１】
下において説明される技術、装置、及びシステムは、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような種々の無線通信システムに使用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）として実現されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術として実現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術として実現されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）  ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であって、下向きリンク（ＤＬ；ｄｏｗ  ｎ  ｌｉｎｋ）でＯＦＤＭＡを採用し、上向きリンク（ＵＬ；ｕｐｌｉｎｋ）でＳＣ−ＦＤＭＡを採用する。ＬＴＥ−Ａ（ａｄｖａｎｃｅｄ）は、３ＧＰＰ  ＬＴＥの進化である。説明を明確にするために、本明細書は、３ＧＰＰ  ＬＴＥ／ＬＴＥ−Ａに焦点を合わせる。しかし、本発明の技術的特徴がこれに制限されるものではない。
【００１２】
図１は、無線通信システムを示す。無線通信システム１０は、少なくとも一つのｅＮＢ（１１；ｅｖｏｌｖｅｄ  ＮｏｄｅＢ）を含む。各ｅＮＢ（１１）は、特定の地理的領域（一般に、セルという）１５ａ、１５ｂ、１５ｃに対して通信サービスを提供する。各セルは、さらに複数の領域（セクタという）に分けられることができる。端末（１２；ＵＥ；ｕｓｅｒ  ｅｑｕｉｐｍｅｎｔ）は、固定されるか、移動性を有することができ、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語とも呼ばれる。ｅＮＢ（１１）は一般に、ＵＥ（１２）と通信する固定された地点をいい、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語とも呼ばれる。
【００１３】
ＵＥは、通常一つのセルに属するが、ＵＥが属したセルをサービングセル（ｓｅｒｖｉｎｇ  ｃｅｌｌ）という。サービングセルに対して通信サービスを提供するｅＮＢをサービングｅＮＢという。無線通信システムは、セルラーシステムであるから、サービングセルに隣接する他のセルが存在する。サービングセルに隣接する他のセルを隣接セル（ｎｅｉｇｈｂｏｒ  ｃｅｌｌ）という。隣接セルに対して通信サービスを提供するｅＮＢを隣接ｅＮＢという。サービングセル及び隣接セルは、ＵＥを基準として相対的に決定される。
【００１４】
この技数は、ＤＬまたはＵＬに使用されることができる。一般に、ＤＬは、ｅＮＢ（１１）からＵＥ（１２）への通信を意味し、ＵＬは、ＵＥ（１２）からｅＮＢ（１１）への通信を意味する。ＤＬにおいて送信機は、ｅＮＢ（１１）の一部であり、受信機は、ＵＥ（１２）の一部でありうる。ＵＬにおいて送信機は、ＵＥ（１２）の一部であり、受信機は、ｅＮＢ（１１）の一部でありうる。
【００１５】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうち、いずれか一つでありうる。ＭＩＭＯシステムは、複数の送信アンテナと複数の受信アンテナを使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。以下において、送信アンテナは、一つの信号またはストリームを送信するのに使用される物理的または論理的アンテナを意味し、受信アンテナは、一つの信号またはストリームを受信するのに使用される物理的または論理的アンテナを意味する。
【００１６】
図２は、３ＧＰＰ  ＬＴＥの無線フレームの構造を示す。図２を参照すると、無線フレームは、１０個のサブフレームを含む。サブフレームは、時間領域で２個のスロットを含む。上位階層により一つのトランスポートブロックを物理階層に送信する時間は、（一般的に一つのサブフレームにわたって）ＴＴＩ（ｔｒａｎｓｍｉｓｓｉｏｎ  ｔｉｍｅ  ｉｎｔｅｒｖａｌ）と定義される。例えば、一つのサブフレームは、１ｍｓの長さを有することができ、一つのスロットは、０．５ｍｓの長さを有することができる。一つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ））シンボルを含む。３ＧＰＰ  ＬＴＥは、ＤＬでＯＦＤＭＡを使用するため、ＯＦＤＭシンボルは、一つのシンボル周期を表現するためのものである。ＯＦＤＭシンボルは、多重接続方式によって他の名称とも呼ばれる。例えば、ＳＣ−ＦＤＭＡがＵＬ多重接続方式として使われる場合、ＯＦＤＭシンボルは、ＳＣ−ＦＤＭＡシンボルとも呼ばれる。リソースブロック（ＲＢ；ｒｅｓｏｕｒｃｅ  ｂｌｏｃｋ）は、リソース割当単位であり、一つのスロットに複数の連続された（ｃｏｎｔｉｇｕｏｕｓ）副搬送波を含む。例示的な目的のみのために無線フレームの構造が図示される。したがって、無線フレームに含まれるサブフレームの数またはサブフレームに含まれるスロットの数またはスロットに含まれるＯＦＤＭシンボルの数は、多様に変更されることができる。
【００１７】
無線通信システムは、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに大別することができる。ＦＤＤ方式によれば、ＵＬ送信とＤＬ送信とが互いに異なる周波数帯域を占めながらなされる。ＴＤＤ方式によれば、ＵＬ送信とＤＬ送信とが同じ周波数帯域を占めながら互いに異なる時間になされる。ＴＤＤ方式のチャネル応答は、実質的に相互的（ｒｅｃｉｐｒｏｃａｌ）である。これは、与えられた周波数領域でＤＬチャネル応答とＵＬチャネル応答とがほとんど同一であるということである。したがって、ＴＤＤに基盤した無線通信システムでＤＬチャネル応答は、ＵＬチャネル応答から得られることができるという長所がある。ＴＤＤ方式は、全体周波数帯域をＵＬ送信とＤＬ送信のために時分割するので、ＢＳによるＤＬ送信とＵＥによるＵＬ送信とが同時に行われることができない。ＵＬ送信とＤＬ送信とがサブフレーム単位に区分されるＴＤＤシステムにおいて、ＵＬ送信とＤＬ送信とは互いに異なるサブフレームで行われる。
【００１８】
図３は、一つのＤＬスロットに対するリソースグリッド（ｒｅｓｏｕｒｃｅ  ｇｒｉｄ）を示す。図３に示すように、ＤＬスロットは、時間領域で複数のＯＦＤＭシンボルを含む。ここで、一つのＤＬスロットは、７ＯＦＤＭシンボルを含み、一つのＲＢは、周波数領域で１２副搬送波を含むことを例示的に記述するが、これに制限されるものではない。リソースグリッド上の各要素をリソース要素（ｒｅｓｏｕｒｃｅ  ｅｌｅｍｅｎｔ）という。一つのＲＢは、７×１２リソース要素を含む。ＤＬスロットに含まれるリソースブロックの数ＮＤＬは、ＤＬ送信帯域幅に従属する。ＵＬスロットの構造もＤＬスロットの構造と同様でありうる。ＯＦＤＭシンボルの数と副搬送波の数とは、ＣＰの長さ、周波数間隔などによって様々に変更されることができる。例えば、ノーマルＣＰの場合、ＯＦＤＭシンボルの数は７であり、拡張ＣＰの場合、ＯＦＤＭシンボルの数は６である。一つのＯＦＤＭシンボルで副搬送波の数は１２８、２５６、５１２、１０２４、１５３６、及び２０４８のうちの一つを選定して使用することができる。
【００１９】
図４は、ＤＬサブフレームの構造を示す。図４に示すように、サブフレーム内の１番目のスロットの先行した最大３ＯＦＤＭシンボルは、制御チャネルが割り当てられる制御領域である。残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域に対応する。３ＧＰＰ  ＬＴＥで使用されるＤＬ制御チャネルの例示として、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ（ｐｈｙｓｉｃａｌ  ｄｏｗｎｌｉｎｋ  ｃｏｎｔｒｏｌ  ｃｈａｎｎｅｌ）、ＰＨＩＣＨ（ｐｈｙｓｉｃａｌ  ＨＡＲＱ  ｉｎｄｉｃａｔｏｒ  ｃｈａｎｎｅｌ）などを含む。ＰＣＦＩＣＨは、サブフレームの１番目のＯＦＤＭシンボルで送信され、サブフレーム内で制御チャネルの送信に使用されるＯＦＤＭシンボルの個数と関連した情報を運ぶ。ＰＨＩＣＨは、ＵＬ送信に対する応答であり、ＨＡＲＱ（ｈｙｂｒｉｄ  ａｕｔｏｍａｔｉｃ  ｒｅｐｅａｔ  ｒｅｑｕｅｓｔ）  ＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）信号を運ぶ。ＰＤＣＣＨを介して送信される制御情報は、ＤＣＩ（ｄｏｗｎｌｉｎｋ  ｃｏｎｔｒｏｌ  ｉｎｆｏｒｍａｔｉｏｎ）である。ＤＣＩは、ＵＬまたはＤＬスケジューリング情報、若しくは任意のＵＥグループのためのＵＬ送信電力制御（ＴＰＣ；ｔｒａｎｓｍｉｔ  ｐｏｗｅｒ  ｃｏｎｔｒｏｌ）命令を含む。
【００２０】
ＰＤＣＣＨは、ＤＬ−ＳＣＨ（ｄｏｗｎｌｉｎｋ−ｓｈａｒｅｄ  ｃｈａｎｎｅｌ）のリソース割当及び送信フォーマット、ＵＬ−ＳＣＨ（ｕｐｌｉｎｋ  ｓｈａｒｅｄ  ｃｈａｎｎｅｌ）のリソース割当情報、ページングチャネル上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対するＴＰＣ命令のセット及びＶｏＩＰ（ｖｏｉｃｅ  ｏｖｅｒ  ｉｎｔｅｒｎｅｔ  ｐｒｏｔｏｃｏｌ）の活性化などを運ぶことができる。複数のＰＤＣＣＨが制御領域内で送信され得る。ＵＥは、複数のＰＤＣＣＨをモニタリングできる。ＰＤＣＣＨは、一つまたはいくつかの連続的なＣＣＥ（ｃｏｎｔｒｏｌ  ｃｈａｎｎｅｌ  ｅｌｅｍｅｎｔｓ）のアグリゲーション（ａｇｇｒｅｇａｔｉｏｎ）上に送信される。ＣＣＥは、無線チャネルの状態による符号化率を有するＰＤＣＣＨを提供するために使用される論理的割当単位である。ＣＣＥは、複数のＲＥＧ（ｒｅｓｏｕｒｃｅ  ｅｌｅｍｅｎｔ  ｇｒｏｕｐ）に対応する。
【００２１】
ＣＣＥの数とＣＣＥにより提供される符号化率の関連関係によってＰＤＣＣＨのフォーマット及び可能なＰＤＣＣＨのビット数が決定される。ＢＳは、ＵＥに送信しようとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付着する。ＣＲＣは、ＰＤＣＣＨの所有者（ｏｗｎｅｒ）や用途に応じて固有な識別子（ＲＮＴＩ；ｒａｄｉｏ  ｎｅｔｗｏｒｋ  ｔｅｍｐｏｒａｒｙ  ｉｄｅｎｔｉｆｉｅｒ）にマスキングされる。特定ＵＥのためのＰＤＣＣＨであれば、ＵＥの固有識別子、例えば、Ｃ−ＲＮＴＩ（ｃｅｌｌ−ＲＮＴＩ）がＣＲＣにマスキングされ得る。または、ページングメッセージのためのＰＤＣＣＨであれば、ページング指示識別子、例えば、Ｐ−ＲＮＴＩ（ｐａｇｉｎｇ−ＲＮＴＩ）がＣＲＣにマスキングされ得る。システム情報のためのＰＤＣＣＨであれば、ＳＩ−ＲＮＴＩ（ｓｙｓｔｅｍ  ｉｎｆｏｒｍａｔｉｏｎ−ＲＮＴＩ）がＣＲＣにマスキングされ得る。ＵＥのランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされ得る。
【００２２】
図５は、ＵＬサブフレームの構造を示す。図５に示すように、ＵＬサブフレームは、周波数領域で制御領域とデータ領域とに分けられることができる。制御領域は、ＵＬ制御情報が送信されるためのＰＵＣＣＨ（ｐｈｙｓｉｃａｌ  ｕｐｌｉｎｋ  ｃｏｎｔｒｏｌ  ｃｈａｎｎｅｌ）が割り当てられる。データ領域は、ユーザデータが送信されるためのＰＵＳＣＨ（ｐｈｙｓｉｃａｌ  ｕｐｌｉｎｋ  ｓｈａｒｅｄ  ｃｈａｎｎｅｌ）が割り当てられる。上位階層で指示される場合、ＵＥは、ＰＵＳＣＨとＰＵＣＣＨの同時送信を支援できる。一つのＵＥに対するＰＵＣＣＨは、サブフレームでリソースブロックペア（ＲＢ  ｐａｉｒ）に割り当てられる。ＲＢペアに属するリソースブロックは、第１のスロットと第２のスロットの各々で互いに異なる副搬送波を占める。これをＰＵＣＣＨに割り当てられるＲＢペアがスロット境界で周波数がホッピング（ｆｒｅｑｕｅｎｃｙ−ｈｏｐｐｅｄ）されたという。ＵＥは、時間によってＵＬ制御情報を互いに異なる副搬送波を介して送信することにより、周波数ダイバーシティ利得を得ることができる。
【００２３】
ＰＵＣＣＨ上に送信されるＵＬ制御情報は、ＨＡＲＱ  ＡＣＫ／ＮＡＣＫ、ＤＬチャネル状態を示すＣＱＩ（ｃｈａｎｎｅｌ  ｑｕａｌｉｔｙ  ｉｎｄｉｃａｔｏｒ）、ＳＲ（ｓｃｈｅｄｕｌｉｎｇ  ｒｅｑｕｅｓｔ）などを含むことができる。ＰＵＳＣＨは、送信チャネルであるＵＬ−ＳＣＨにマッピングされる。ＰＵＳＣＨ上に送信されるＵＬデータは、ＴＴＩの間に送信されるＵＬ−ＳＣＨのためのデータブロックであるトランスポートブロックでありうる。トランスポートブロックは、ユーザ情報でありうる。または、ＵＬデータは、多重化された（ｍｕｌｔｉｐｌｅｘｅｄ）データでありうる。多重化されたデータは、ＵＬ−ＳＣＨのためのトランスポートブロックと制御情報とが多重化して得られたデータでありうる。例えば、データに多重化される制御情報は、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などを含むことができる。または、ＵＬデータは、制御情報のみで構成されることもできる。
【００２４】
ＭＴＣ（ｍａｃｈｉｎｅ  ｔｙｐｅ  ｃｏｍｍｕｎｉｃａｔｉｏｎ）ＵＥに対するカバレッジ向上（ＣＥ；ｃｏｖｅｒａｇｅ  ｅｎｈａｎｃｅｍｅｎｔ）が説明される。ＵＥが特定セルに向かって初期接続を実行する場合、ＵＥは、特定セルを制御するｅＮＢから特定セルに対するＭＩＢ（ｍａｓｔｅｒ  ｉｎｆｏｒｍａｔｉｏｎ  ｂｌｏｃｋ）、ＳＩＢ（ｓｙｓｔｅｍ  ｉｎｆｏｒｍａｔｉｏｎ  ｂｌｏｃｋ）及び／またはＲＲＣ（ｒａｄｉｏ  ｒｅｓｏｕｒｃｅ  ｃｏｎｔｒｏｌ）パラメータを受信することができる。また、ＵＥは、ｅＮＢからＰＤＣＣＨ／ＰＤＳＣＨを受信することができる。その場合、ＭＴＣ  ＵＥは、レガシーＵＥより広いカバレッジを有しなければならない。したがって、ｅＮＢがレガシーＵＥと同じ方式でＭＴＣ  ＵＥにＭＩＢ／ＳＩＢ／ＲＲＣパラメータ／ＰＤＣＣＨ／ＰＤＳＣＨを送信すると、ＭＴＣ  ＵＥは、ＭＩＢ／ＳＩＢ／ＲＲＣパラメータ／ＰＤＣＣＨ／ＰＤＳＣＨの受信に困難を経験することができる。この問題を解決するために、ｅＮＢがカバレッジ問題を有するＭＴＣ  ＵＥにＭＩＢ／ＳＩＢ／ＲＲＣパラメータ／ＰＤＣＣＨ／ＰＤＳＣＨを送信する時、ｅＮＢは、カバレッジ向上のための多様な方式、例えば、サブフレーム繰り返し、サブフレームバンドリングなどを適用することができる。
【００２５】
カバレッジ問題を有するＭＴＣ  ＵＥがレガシーＵＥまたはカバレッジ問題がないＭＴＣ  ＵＥと同じセルで同じサービスを利用する場合、カバレッジ問題を有するＭＴＣ  ＵＥにデータを送信するのに多い量のリソースが使われることができる。それによって、他のＵＥに対するサービスが制限されることができる。したがって、カバレッジ問題を有するＭＴＣ  ＵＥの動作が他のＵＥに対する干渉を起こすことができるという問題を回避するために、カバレッジ問題があるＭＴＣ  ＵＥの時間領域と他のＵＥの時間領域は、ＴＤＭ（ｔｉｍｅ  ｄｉｖｉｓｉｏｎ  ｍｕｌｔｉｐｌｅｘｉｎｇ）により多重化されることができる。カバレッジ問題を有するＭＴＣ  ＵＥに対する時間領域及び他のＵＥに対する時間領域は、長い周期（ｌｏｎｇ−ｔｅｒｍ  ｐｅｒｉｏｄ）、例えば、数十分、または短い周期（ｓｈｏｒｔ−ｔｅｒｍ  ｐｅｒｉｏｄ）、例えば、いくつかのサブフレームで多重化されることができる。
【００２６】
ＬＴＥ−Ａで、カバレッジ問題を有するＭＴＣ  ＵＥに対して、各チャネルに繰り返しが適用されることと論議された。即ち、各チャネルは、カバレッジ問題があるＭＴＣ  ＵＥのカバレッジ向上のために繰り返して送信されることができる。
【００２７】
また、ＰＤＣＣＨ／ＰＤＳＣＨの多重サブフレームバンドリングがカバレッジ問題を有するＭＴＣ  ＵＥに適用されることと論議された。即ち、ｅＮＢは、Ｎ個のバンドリングされたサブフレームを利用してカバレッジ問題を有するＭＴＣ  ＵＥにＰＤＣＣＨを送信することができる。
【００２８】
図６は、サブフレームバンドリングの例を示す。図６を参照すると、ＰＤＣＣＨは、Ｎ個のサブフレームを使用して送信される。ＰＤＣＣＨと関連したＰＤＳＣＨ／ＰＵＳＣＨは、Ｎ個のサブフレームを介したＰＤＣＣＨ送信が完了したサブフレームからＧ個のサブフレーム後に送信されることができる。その代案として、ＰＤＣＣＨと関連したＰＤＳＣＨ／ＰＵＳＣＨは、Ｎ個のサブフレームを介してＰＤＣＣＨ送信が開始されるサブフレームからＫ個のサブフレーム後に送信されることができる。
【００２９】
ＰＤＣＣＨ送信が開始されるサブフレームの位置は、変更されないため、ＰＤＣＣＨは、あらかじめ決定されたサブフレームから送信されることができる。即ち、ＰＤＣＣＨ送信が開始されるサブフレームの位置は、固定されることができる。ＰＤＣＣＨ送信が開始されるサブフレームの固定された位置は、ＭＩＢを介して送信されることができる。例えば、ＳＦＮ％Ｎ＝０（例えば、Ｎ＝２０）のサブフレームでＰＤＣＣＨ送信が開始されると決定されると、Ｎは、ＭＩＢを介して送信されることができる。また、ＳＦＮ％Ｎ＝ｏｆｆｓｅｔのサブフレームでＰＤＣＣＨ送信が開始されると決定されると、オフセットは、ＭＩＢを介して送信されることができる。例えば、カバレッジ問題を有するＭＴＣ  ＵＥに対するＰＤＣＣＨ送信は、１００の倍数（例えば、０、１００、２００、３００．．．）に対応するサブフレームで開始されることができる。ＭＴＣ  ＵＥは、１００の倍数に対応するサブフレームからＮ個のサブフレームを介してＰＤＣＣＨを受信するために試みることができる。ＰＤＣＣＨ送信が開始されるサブフレームの位置は、ＵＥ特定するように構成されることができる。その場合、ＰＤＣＣＨ送信が開始されるサブフレームの位置は、上位階層信号、例えば、ＲＲＣパラメータを介して構成されることができる。
【００３０】
ＰＤＣＣＨ／ＰＤＳＣＨ／ＰＵＳＣＨが送信されるサブフレームは、各々、連続的または非連続的である。しかし、ＭＴＣ  ＵＥは、どのようなサブフレームバンドリングされた送信が実行されるかを知っていると仮定することができる。また、ＰＤＣＣＨ／ＰＤＳＣＨ／ＰＵＳＣＨ送信のための多数のサブフレームまたは繰り返し回数は、ＣＥレベル毎に異なるように構成され、または事前構成され、またはＳＩＢを介して送信され、またはＵＥにより推論されることができる。
【００３１】
ＵＬチャネル状況は、ＤＬチャネル状況と異なる場合があるため、ＵＬ繰り返し回数がＤＬ繰り返し回数に従うことは非効率的である。したがって、ＵＥに対する繰り返し回数は、各々、ＤＬ及びＵＬに対して異なるように構成されることができる。したがって、本発明の一実施例によって、繰り返し回数を電力制御と類似するように適応させる方法を以下で提案する。
【００３２】
現在３ＧＰＰ  ＬＴＥで、電力制御は、下記の動作により実行されることができる。
【００３３】
−初期電力設定：経路損失に基づいている。
【００３４】
−送信電力制御（ＴＰＣ；ｔｒａｎｓｍｉｔ  ｐｏｗｅｒ  ｃｏｎｔｒｏｌ）を介した適応的電力増加／減少またはＴＰＣを介した絶対電力設定
【００３５】
−ＰＵＣＣＨフォーマット別異なる電力オフセット
【００３６】
−チャネル別初期電力設定
【００３７】
−電力ヘッドルーム報告（ＰＨＲ；ｐｏｗｅｒ  ｈｅａｄｒｏｏｍ  ｒｅｐｏｒｔｉｎｇ）
【００３８】
−セル最大ＵＬ電力（または、カバレッジ）設定
【００３９】
ＵＥがＣＥで構成される場合、送信電力を減少させることは送信のためにより多くのサブフレームが使われなければならないことを意味する。したがって、電力消費を重要に考慮するＵＥの観点で、最大送信電力を使用することが適切である。しかし、ＵＬカバレッジが維持されなければならないため、ＵＥに対する最大送信電力は、ｍｉｎ｛ＰＣｍａｘ、ＰＥＭＡＸ、ｃ｝により決定されることができる。ＰＣｍａｘ、Ｃが最大送信電力及び最大電力減少（ＭＰＲ；ｍａｘｉｍｕｍ  ｐｏｗｅｒ  ｒｅｄｕｃｔｉｏｎ）を考慮して最大値を示す場合、ＵＥの送信電力は、下記のオプションのうち一つにより決定されることができる。
【００４０】
（１）ＰＣｍａｘ、ｃは、常に使われることができる。
【００４１】
（２）電力適応が可能な場合もある。
【００４２】
２−１）（ＰＣｍａｘ、ｃ−Ｐｏｆｆｓｅｔ）は、常に使われることができる：Ｐｏｆｆｓｅｔは、ネットワークによりＵＥ特定的に構成されることができる。
【００４３】
２−２）レガシー手順と類似した電力制御メカニズムを介した電力適応が利用されることができる。このオプションは、ネットワークが同じリソースで類似した受信電力を希望する場合に有用である。例えば、１５ｄＢのＣＥ向上及び０ｄＢのＣＥ向上を有するＵＥが同じリソースを共有して同じ電力が使われる場合、１５ｄＢのＣＥ向上を有するＵＥは、近距離−遠距離効果（ｎｅａｒ−ｆａｒ  ｅｆｆｅｃｔｓ）により困難を経験することができる。その場合、動的適応またはオプション２−１がさらに考慮されることができる。
【００４４】
１．本発明の一実施例に係る繰り返しレベル適応が説明される。本実施例は、前述されたオプション１）またはオプション２−２）に適用されることができる。現在、ＬＴＥは、ＰＵＣＣＨ電力に対して次のような電力制御メカニズムを有している。サービングセルｃがプライマリ（ｐｒｉｍａｒｙ）セルである場合、サブフレームｉでのＰＵＣＣＨ送信に対するＵＥ送信電力ＰPUCCHの設定は、数式１により定義される。
【００４５】
【数１】
2018515987.tif 000003
［ｄＢｍ］
【００４６】
数式１において、Ｐ0＿PUCCH＋ＰＬcは、ｅＮＢで要求される受信電力を決定するための開ループ（ｏｐｅｎ−ｌｏｏｐ）電力制御に使われる。ネットワークは、各リソースで要求される受信電力を処理することができる。ＣＥを有するＵＥに対して、ＰＬcは、非常に高いと予想され、したがって、Ｐ0＿PUCCH＋ＰＬcは（構成されたＵＥ最大電力に近似するようにまたは構成されたＵＥ最大電力を超過して）非常に高い。この問題を緩和するために、ＣＥレベルは、下記の接近方式のうち一つとして考慮されることができる。
【００４７】
−１５ｄＢ（または、１８ｄＢ）向上を受け入れるためにＰ0＿PUCCHが低くなることができる。値の範囲が低くなるように変更されることができる。また、これが使われると、ネットワークは、正常なカバレッジ内のＵＥから低い電力送信により困難を経験することもできる。したがって、各ＣＥレベル毎にＰ0＿PUCCHの個別値が構成されることができる。
【００４８】
−また、ＣＥを有するＵＥは、送信電力を知るためにＰ0＿PUCCHを使用することができる。大部分の場合、この接近法は、最大送信電力を生成することができる。この電力は、ＰＣｍａｘ、ｃ＝２３ｄＢｍを有するＰＵＣＣＨフォーマット１ａに基づいているため、Ｐ0＿PUCCHを使用して必要な繰り返し回数を導出することができる。例えば、ＭＰｍａｘがないという仮定下にＰＣｍａｘ、ｃ＝ｘｄＢｍを有するＵＥに対するＰＵＣＣＨフォーマット１ａ（ネットワークまたはＰＥＭＡＸにより構成された場合、任意の電力オフセットを考慮する）で、オフセットは、数式２により計算されることができる。
【００４９】
【数２】
2018515987.tif 000004
【００５０】
数式２において、ベースライン繰り返し回数Ｒ0＿PUCCHは、ｃｅｉｌ（１０∧（Ｐoffset／１０））で表現されることができる。即ち、受信機側で要求される電力を補償するために、繰り返しが発生できる。このような方式で、ＣＥモードでＵＥのためにＰ0＿PUCCHが再使用されることができる。その場合、Ｒ0＿PUCCHが計算され、より多くのビットまたは異なるＰＵＣＣＨフォーマットを受け入れるために追加的な繰り返しが必要であり、ＭＰＲなどによる実際的なＵＥ電力も必要である。以後、Ｐoffset′は、数式３により計算されることができる。
【００５１】
【数３】
2018515987.tif 000005
【００５２】
数式３において、Ｘ′は、ＭＰＲを計算した以後のＵＥ最大電力（ＰＣｍａｘ、ｃ）である。ＭＴＣ  ＵＥは、ＵＬ送信のために一つより多いアンテナを使用することができないため、ΔTXD（Ｆ′）は、０である。また、閉ループ（ｃｌｏｓｅｄ  ｌｏｏｐ）電力制御が使われない場合、ｇ（ｉ）は、０に設定されることができる。つまり、繰り返しは、情報ビット及びＰＵＣＣＨフォーマットを考慮して要求される電力に基づいてカウンティングされることができる。最終的なＰＵＣＣＨの繰り返し回数は、（１０∧（Ｐoffset′／１０））として計算されることができる。
【００５３】
その代案として、Ｐ0＿PUCCH値が既に２３ｄＢｍ値を取得（ｃａｐｔｕｒｅ）するよう構成されることができる。したがって、Ｐoffset′は、以下の数式４により計算されることができる。
【００５４】
【数４】
2018515987.tif 000006
【００５５】
ＵＥ及びネットワーク具現によって、アグリゲーションされたＰＵＣＣＨは、必要な受信電力を作らない（例えば、周波数エラー、推定エラーなどにより）。したがって、補償パラメータδは、１より大きい。補償パラメータδは、経路損失値にかける代わりに足されることができる。補償パラメータδは、ネットワークにより構成されることができ、または補償パラメータδに対する基本値は、ＳＩＢにシグナリングされることができる。
【００５６】
これが使われると、ネットワークは、ＵＥがＰＵＣＣＨ送信のために使用した繰り返し回数を知らないこともある。類似したメカニズムがＰＵＳＣＨにも使われることができる。回数を整列するために、一つのメカニズムは、ネットワークにのみ報告され、電力制御が利用されないＰＬc（即ち、ｇ（ｉ）＝０）を利用することができる。また、ＵＥがその機能を使用することができない場合、ｈ（ｎCQI、ｎHARQ、ｎSR）に対するある決定が必要である。その代わりに、情報ビットに関係なく各ＰＵＣＣＨフォーマット毎に多少大きいオフセット値が割り当てられることができる。その代案として、ネットワークは、最終サブフレームまたは繰り返し回数に基づいているスクランブリングを利用することによって繰り返し回数をブラインドするように検索できる。しかし、これはネットワーク複雑性を増加させることができ、デコーディング確率／性能を低下させることができる。また、Ｘ′値がシグナリングされる必要があり、またはネットワークは、ＵＥで発生できる可能なＭＰＲ値を考慮して最大Ｘ′値を構成することができる。ＵＥは、構成された場合にＸ′より高い電力を使用することができるが、繰り返し回数は、Ｘ′により定義されることができる。
【００５７】
要約すると、繰り返し回数は、集計された後、ｅＮＢ側で要求される受信電力を満たさせることができるように計算されることができる。また、ＰＵＣＣＨと類似するように、割り当てられたリソースに基づいてＰＵＳＣＨに対する繰り返し回数が決定されることができる。
【００５８】
２．本発明の一実施例に係る電力レベル適応が説明される。本実施例は、前述したオプション２−２）に適用されることができる。多数のＵＥ間のＣＤＭ（ｃｏｄｅ  ｄｉｖｉｓｉｏｎ  ｍｕｌｔｉｐｌｅｘｉｎｇ）が適用される時、閉ループ電力制御は、受信機側で合理的な性能を得るのに重要である。したがって、ＴＰＣメカニズムは、ＵＥが向上したカバレッジ内にある時に適用されることができる。ＴＰＣメカニズムの細部事項を議論する前に、ＵＥ  ＵＬ電力の全般的な原理が下記で論議されることができる。
【００５９】
議論のために、チャネルは、繰り返し及びバンドリングを利用してｍ個のサブフレームを介して送信されると仮定することができる。また、ｍ繰り返しは、Ｍ物理期間の間に発生できると仮定することができる。Ｍは、開始サブフレームと終了サブフレームとの間の持続期間を示すことができる。ＭＴＣ  ＵＥに使用することができないサブフレームがあるため、Ｍ≧ｍである。また、ＵＬチャネル送信は、時間経過によって異なる狭帯域／周波数で発生できると仮定することもできる。その場合、周波数ホッピングは、全てのｋサブフレームで発生できる。また、周波数ホッピング間に０でない周波数再調整間隔が使われると仮定することができる。その場合、下記の仮定のうち少なくとも一つが考慮されることができる。
【００６０】
（１）Ｐｃ＿ｃｈａｎｎｅｌがチャネル送信のために計算された電力であると仮定すると、Ｐｃ＿ｃｈａｎｎｅｌは、ｍ個のサブフレームにわたって一定であると仮定することができる。しかし、ＵＥは、サブフレームのサブセットで多重チャネルを送信することができるため、サブフレーム当たり異なる電力を使用することができる。例えば、ＰＵＳＣＨ送信の間に、ＳＲＳ（ｓｏｕｎｄｉｎｇ  ｒｅｆｅｒｅｎｃｅ  ｓｉｇｎａｌ）繰り返しは、間欠的に発生できる。少なくとも信号チャネル観点で、ｍサブフレームにわたって一定な電力が仮定されることができる。これをサポートするために、ＵＥは、あらかじめｍ個のサブフレームに対する推定電力を計算して最小値を取ることができる。即ち、Ｐｃ＿ｃｈａｎｎｅｌ＝ｍｉｎ｛Ｐｃ＿ｃｈａｎｎｅｌ（ｉ）｝、ここで、ｉ＝０．．．ｍ−１である。
【００６１】
（２）ｋサブフレームに対してのみ一定な電力が仮定されることができる。即ち、Ｐｃ＿ｃｈａｎｎｅｌは、Ｐｃ＿ｃｈａｎｎｅｌ＝ｍｉｎ｛Ｐｃ＿ｃｈａｎｎｅｌ（ｉ）｝、ここで、ｉ＝０．．．ｋ−１であるｋ個のサブフレーム毎に再び計算されることができる。
【００６２】
（３）電力は、サブフレーム単位に変更されることができる。しかし、一定な電力使用という仮定に基づいて、ネットワークが多数のサブフレームチャネル推定を実行することができる場合、受信時にいくつかの問題が発生できる。
【００６３】
その代案として、アップリンク送信のために使われる繰り返し回数は、固定されることができ、ＵＥは、経路損失、ＡＣＫ／ＮＡＣＫビットの数、ペイロード大きさ、割り当てられたＲＢの数等によって電力を変更することができる。例えば、ＵＥは、繰り返しレベルの細分性（ｇｒａｎｕｌａｒｉｔｙ）が多少概略的（ｃｏａｒｓｅ）な繰り返しレベル（例：５ｄＢ範囲）で構成されることができる。各々の構成された繰り返しレベル内で、ＵＥは、ＴＰＣ命令または経路損失推定に基づいて最大電力を調整することができる。
【００６４】
例えば、ＰＵＣＣＨのｉ番目の繰り返しでのＰＵＣＣＨに必要な総電力は、数式５により計算されることができる。
【００６５】
【数５】
2018515987.tif 000007
【００６６】
各サブフレームｊにおいて、ＰＵＣＣＨの電力は、数式６により計算されることができる。
【００６７】
【数６】
2018515987.tif 000008
【００６８】
数式６において、ＲＬは、構成された繰り返し回数であり、βは、ネットワークにより構成されることができる具現マージンのために使われる。
【００６９】
類似したメカニズムがスケジューリング要求（ＳＲ；ｓｃｈｅｄｕｌｉｎｇ  ｒｅｑｕｅｓｔ）及びＳＲＳ送信に対する電力を決定するのに使われることができる。繰り返し回数に対して、ＳＲＳの繰り返し回数は、ＰＵＳＣＨ（または、ＰＵＣＣＨ）に対して構成された繰り返し回数を従うことができる。
【００７０】
その代案として、ＰＵＣＣＨに対して構成された繰り返し回数に対して、変調及び類型に関係なくＰＵＣＣＨ送信に同じ繰り返し回数が適用されることができる。また、ＳＲ及びＳＲＳに対して同じ繰り返し回数が適用されることができる。このような場合、全てのＰＵＣＣＨフォーマットをカバーするために繰り返し回数が多少大きく構成されることができる。しかし、これは非効率的である。
【００７１】
または、ＰＵＣＣＨフォーマット別に異なる繰り返し回数が構成されることができる。ＰＵＣＣＨフォーマット別実際繰り返し回数が別途に構成されることができる。または、ＰＵＣＣＨフォーマット別実際繰り返し回数の代わりにＰＵＣＣＨフォーマット別繰り返し回数の比率が構成されることができる。表１は、ＰＵＣＣＨフォーマット別繰り返し回数の比率を示す。ＰＵＣＣＨフォーマット１に対して構成された繰り返し回数またはＣＥレベルに基づいて、他のＰＵＣＣＨフォーマットに対する繰り返し回数またはＣＥレベルが計算されることができる。例えば、ＰＵＣＣＨフォーマット１に対する実際繰り返し回数がｎである場合、ＰＵＣＣＨフォーマット２に対する実際繰り返し回数は、１０ｎである。
【００７２】
【表１】
2018515987.tif 000009
【００７３】
ＴＰＣメカニズムがＣＥ内のＵＥに対して使われると仮定すると、下記の問題が明確になる必要がある。
【００７４】
（１）ＴＰＣにより命令された電力を累積したり電力を印加したりする方法：ＴＰＣ命令がサブフレームｎで受信される場合、現在ＴＰＣは、ｎ＋４サブフレームまたはｎ＋ｋサブフレームで適用されることができる。これはＴＰＣ命令が受信されないサブフレームに対する電力変化がないと仮定すると、全てのサブフレームで発生できる。累積されたＴＰＣの場合、ｆｃ（ｉ）は、ａ＊ｆｃ（ｉ−ｋ）に更新されることができる。絶対ＴＰＣの場合、ｆｃ（ｉ）は、ｆｃ（ｉ−ｋ）に更新されることができる。これが厳格に適用されると、繰り返し的な送信中間に電力が変更されることができる。前述したオプション１）が使われると、ＵＥが繰り返しチャネルを送信する間にＴＰＣ電力が変更されない。繰り返す間に受信されたＴＰＣ命令を処理するために、下記のオプションのうち一つが考慮されることができる。
【００７５】
１）現在の繰り返しを完了した以後に第１のサブフレームであるサブフレーム１までｆｃ（ｉ）をｆｃ（ｉ−ｋ）に更新することが遅延されることができる。繰り返しの間に他のＴＰＣが受信され、または同じチャネルに対して一つ以上のＴＰＣ命令が受信された場合、ＵＥは、以前ＴＰＣ命令を無視して最終ＴＰＣ命令のみを取ることができる。
【００７６】
２）その代案として、ｆｃ（ｉ）をｆｃ（ｉ−ｋ）に更新することが適用されることができ、仮想電力が累積されることができる。ＵＥが繰り返しチャネルを送信している間に、ＵＥは、ＴＰＣ命令に基づいて累積されることができる仮想電力を維持することができる。繰り返しが完了すると、繰り返しのために使われる電力に総アグリゲーション電力ａｇｇｒｅｇａｔｉｏｎ＿ｆｃ（ｉ）が適用されることができる。
【００７７】
３）ｆｃ（ｉ）のｆｃ（ｉ−ｋ）へのオプション３更新は、全てのサブフレームまたはネットワークにより構成されることができる、全てのＬ個のサブフレームの単位で適用されることができる。
【００７８】
オプション２）が使われると、ＴＰＣ電力は、各ｋサブフレーム内で更新されない。各々のｋ番目のサブフレームで、累積されたＴＰＣが反映されることができる。ｋサブフレーム内で、前述されたオプションが適用されることができる。
【００７９】
一般的に、Ｌ個のサブフレームにわたって繰り返しする間に多数のＴＰＣ命令を処理する観点で、ＵＥは、仮想電力累積パラメータを使用して全ての命令を適用し、またはただ一つのＴＰＣ（例えば、直近の）命令のみを取ることができる。このような場合、ｋ個のサブフレームは、十分に大きくなくて、多重ＴＰＣ命令を受信する可能性が非常に低い。したがって、直近のＴＰＣ命令を取ることが十分である。
【００８０】
ランダムアクセス応答（ＲＡＲ、即ち、ｍｓｇ２）に基づいているＴＰＣ更新の場合、現在手順は、次の通りである。ＵＥがサービングセルｃに対するランダムアクセス応答メッセージを受信すると、ｆｃ（０）は、ｆｃ（０）＝ΔＰrampup、c＋δmsg2、cにより決定されることができる。δmsg2、cは、サービングセルｃで送信されたランダムアクセスプリアンブルに対応するランダムアクセス応答で指示されたＴＰＣ命令である。ΔＰrampup、cは、以下の数式７により決定されることができる。
【００８１】
【数７】
2018515987.tif 000010
【００８２】
数式７において、ΔＰrampuprequested、cは、上位階層により提供されることができて、サービングセルｃでの１番目のプリアンブルから最終のプリアンブルまで上位階層により要求された総電力ランプアップ（ｐｏｗｅｒ  ｒａｍｐ−ｕｐ）に対応する。ＭPUSCH、c（０）は、サービングセルｃでの第１のＰＵＳＣＨ送信のサブフレームに対して有効なリソースブロックの数で表現されたＰＵＳＣＨリソース割当の帯域幅である。ＤTF、c（０）は、サービングセルｃでの１番目のＰＵＳＣＨ送信の電力調整である。
【００８３】
ＰＲＡＣＨ送信の間に電力ランピング使われない場合、ΔＰrampuprequested、cは０であり、したがって、ΔＰrampup、cは、０である。つまり、初期ｆｃ（０）は、ＲＡＲのＴＰＣ命令に基づいて設定されることができる。また、電力ランピングＰＲＡＣＨのために使われない場合、Ｍｓｇ３送信の観点で、同じ電力が使われることができる（即ち、ＰＣｍａｘ）。その後、ＴＰＣ命令によって電力が減少されることができる。即ち、電力ランピングＰＲＡＣＨのために使われない場合、ＵＥが最大電力を構成することでＭｓｇ３に対する電力設定が固定されることができる。そのような場合、累積されたＴＰＣが以下の数式８により適用されることができる。
【００８４】
【数８】
2018515987.tif 000011
【００８５】
つまり、他のシグナリング及び経路損失測定に依存せずにＴＰＣ命令を介してのみ電力が累積されることができる。絶対ＴＰＣ命令が送信される場合、累積ＴＰＣは、以下の数式９により適用されることができる。
【００８６】
【数９】
2018515987.tif 000012
【００８７】
つまり、電力累積のために構成された最大電力が使われることができる。このような手順が利用される場合、ＵＥは、まず、構成された最大電力で構成されることができ、ネットワークは、ＴＰＣ命令を介して電力を減少させることができる。これはＰＵＳＣＨ送信のためのスケジューリングされたＲＢ数が一定に維持されることができるという仮定に基づいている。ＲＢの数が変更されることができる場合、ＲＢ数の一部のパラメータが必要なこともある。
【００８８】
類似したメカニズムがＰＵＣＣＨ及びＳＲＳにも適用されることができる。ＰＵＣＣＨ送信の場合、初期ＰＵＣＣＨ送信にもＰＣｍａｘが使われると、異なるｆｃ（ｉ）値が適用される必要がある。現在、より多くの情報ビットに対して一層高い電力が使われると予想される。したがって、電力制御でのｈ（＊）関数が電力を決定することができる。これが使われると、初期電力に対して各ＰＵＣＣＨフォーマットに対してＰＣｍａｘ、ｃを適用する代わりに以下の数式１０が適用されることができる。
【００８９】
【数１０】
2018515987.tif 000013
【００９０】
数式１０において、ｍａｘ＿ｈは、ネットワークにより構成されることができる。つまり、ＰＵＣＣＨフォーマット１、１ａ／１ｂは、いくつかの電力オフセットで開始されることができる。ＰＵＣＣＨフォーマット３は、ＭＴＣ  ＵＥによりサポートされない場合もあるため、ｍａｘ＿ｈは、ＰＵＣＣＨフォーマット２に基づいて決定されることができる。各々のＰＵＣＣＨフォーマットに対する電力を計算する観点で、以下の数式１１が使われることができる。
【００９１】
【数１１】
2018515987.tif 000014
【００９２】
また、累積された値は、繰り返しに基づいて異なる影響を有することができる。したがって、ＴＰＣの観点で、サブフレームまたは繰り返し別に値が適用されることができる。繰り返し当たり適用される場合（即ち、総受信電力が特定数に増加／減少されることができる）、累積時に繰り返し回数が考慮される必要がある。繰り返し回数がネットワークにより決定されることができるということを考慮すると、サブフレーム別ＴＰＣ累積が発生すると仮定することが一層容易である。
【００９３】
ＵＥがＣＥモードにある場合、経路損失値は大きい。したがって、元の数学が使われると、電力累積に関係なく、計算後の実際電力は、常にＰＣｍａｘに近接できる。したがって、前述したように、繰り返しレベルに基づいていくつかの合わせが必要である。
【００９４】
２）電力計算の場合、繰り返し回数を考慮する方法：電力レベルを計算するために繰り返し回数が使われる場合、ＲＲＣ、ＤＣＩ及びＰＲＡＣＨ  ＣＥレベルのうち一つを介して繰り返し回数がスケジューリングされることができる（ＰＲＡＣＨ送信により使われるＣＥレベルに基づいて暗示的に決定される）。繰り返しレベルが変更される場合、各サブフレーム当たり電力が変更されることができる。チャネル繰り返しの間に新しい繰り返しレベルが受信される場合、ＴＰＣ更新処理と類似するように、各オプションによって新しい電力設定を適用する制限が必要である。繰り返しレベルが一つのチャネル繰り返しの間に変更されることができない場合（即ち、次のチャネル繰り返しでのみ反映されることができる場合）、繰り返しレベルに基づいている電力更新は、一つのチャネル繰り返し完了後にのみ更新されることができる。そうでなければ、電力が少なくともｋ個のサブフレームの間に維持される必要があるため、繰り返しレベル更新及び電力更新は、現在ｋ個のサブフレームが完了した後に発生できる。繰り返しレベル更新の場合、第１の接近法が使われると、次の送信で繰り返しレベルが更新されることができ、第２の接近法が使われると、電力が更新される時に繰り返しレベルが更新されることができる。繰り返しの間に繰り返しレベルを適応させることによって、ＵＥは、中間に繰り返し送信を中断させることができる。これは繰り返しレベルがＲＲＣメッセージにより更新される場合に適用されることができる。ＤＣＩにより指示されると、スケジューリングされた送信のために繰り返しレベルが反映されることができ、スケジューリングされた送信のために電力が決定されることができる。
【００９５】
累積されたＴＰＣ命令のモードが構成される場合、チャネル／ＵＥのＣＥレベルまたは繰り返し回数が変更される場合、ＵＥは、（ｆ＿ｃ（ｉ）またはｇ＿ｃ（ｉ）を０に設定することによって）受信されたＴＰＣを再設定することができる。これは繰り返し回数またはＣＥレベルを変更することが、ＵＥとｅＮＢとの間のチャネルを実質的に変更し、以前の繰り返し回数またはＣＥレベルを目標とした以前に受信されたＴＰＣ命令がそれ以上関連がないためである。したがって、新しく構成された繰り返し回数またはＣＥレベルで累積ＴＰＣ命令を再び開始することが有利である。
【００９６】
本発明の一実施例に係るＰＨＲが説明される。ＰＵＳＣＨ電力とＰＣｍａｘ、ｃとの間の差が現在のＰＨＲメカニズムと類似するように報告されることができる場合、電力ヘッドルームが報告されることができる。ネットワークが負のＰＨＲを受信すると、ネットワークは、ＵＥに構成された繰り返しレベルを増加させることができる。ＭＴＣ  ＵＥは、ＰＵＣＣＨ及びＰＵＳＣＨを同時に送信することができないため、類型２ＰＨＲ報告は、必要でない。一方、ＴＰＣ基盤電力制御が使われる場合、ＰＵＣＣＨ／ＰＵＳＣＨ同時送信構成またはサポート可能性に関係なく類型２ＰＨＲが常に報告されることができる。
【００９７】
ＭＴＣ  ＵＥに対するＰＨＲ計算は、次の通りである。ＵＥがサービングセルｃのためにサブフレームｉでＰＵＣＣＨ無しでＰＵＳＣＨを送信すると、類型１報告に対する電力ヘッドルームは、数式１２により計算されることができる。
【００９８】
【数１２】
2018515987.tif 000015
【００９９】
数式１２において、ＵＥは、ＰＵＳＣＨ電力決定のためにβ＝αc（ｊ）と仮定することができる。
【０１００】
ＣＥを考慮して、より大きい負数値のようなレガシーより大きいＰＨＲ報告値が報告され、または構成された繰り返し回数をＰＨＲ計算に考慮することができる。例えば、繰り返し要素は、全体経路損失基盤要求電力により減算されることができる。繰り返しの観点で、ＰＵＳＣＨに対して最大繰り返し回数が使われることができ、ＰＵＣＣＨに対して構成された繰り返し回数が使われることができる。
【０１０１】
本発明の一実施例に係る繰り返しレベル適応／決定が説明される。ＣＥモードのＵＥに対して、繰り返し回数を減少させることが好ましいため、適応電力が必須でないこともある。したがって、ＴＰＣフィールドまたは繰り返しレベルの適応を利用することが代案として考慮されることができる。以下、（Ｅ）ＰＤＣＣＨがＣＥモードでＭＴＣ  ＵＥのための多重サブフレームを介して繰り返して送信される場合、ＰＤＳＣＨ／ＰＵＳＣＨの繰り返しレベルを構成／指示する方法が提示される。ここで、繰り返しレベルは、繰り返し回数（即ち、繰り返しのためのサブフレーム数）を示すことができる。具体的に、繰り返し回数は、実際繰り返し送信に使われるサブフレームの数を意味する。いくつかの場合、ＵＥがモニタリングできる狭帯域の大きさは、最小単位（例えば、６個のＰＲＢ）より大きい。その場合、繰り返し回数は、スケジューリングされたＲＢによって変わることができる。一般的に、繰り返し回数は、ＭＣＳ、スケジューリングされたＲＢの数、ＵＥのＣＥレベルなどによって変わることができる。
【０１０２】
（１）繰り返しレベルは、ＴＰＣ命令／フィールドを介して適応されることができる：絶対繰り返しレベルまたは相手繰り返しレベルは、ＤＣＩ内のＴＰＣ命令またはＴＰＣフィールドを介してシグナリングされることができる。相手繰り返しレベルが使われる場合、繰り返しレベルは、ＰＤＣＣＨ（または、ＭＴＣ  ＰＤＣＣＨ（Ｍ−ＰＤＣＣＨ））送信に使われる繰り返しレベルまたは総リソースアグリゲーションレベル（アグリゲーションレベル及び繰り返しレベルの組み合わせ）に対して相対的である。例えば、制御チャネル送信のためにＣＥレベル＝３が使われると、ＴＰＣフィールドでシグナリング−１を介してＰＵＳＣＨまたはＰＵＣＣＨに対してＣＥレベル＝２が使われることができる。または、絶対繰り返しレベルを使用する場合、ＤＬ繰り返しレベルと関係なくＵＬ送信の繰り返しレベルを決定することができる。または、ＰＵＣＣＨ／ＰＵＳＣＨ送信の場合、ＤＣＩを介してシグナリングされた繰り返しレベルが直ちに適用されることができる。つまり、（スケジューリングされたＰＤＳＣＨに対して）対応されるＰＵＣＣＨまたはスケジューリングされたＰＵＳＣＨは、ＤＣＩにより構成された繰り返しレベルを使用することができる。または、ＴＰＣ命令により繰り返しレベルが構成されると、これはｎ＋４で効果的であり、ここで、ｎは、ＴＰＣ命令繰り返しの最終サブフレームである。
【０１０３】
（２）繰り返しレベルは、スケジューリング（Ｅ）ＰＤＣＣＨの全体アグリゲーションリソース（ＴＡＲ；ｔｏｔａｌ  ａｇｇｒｅｇａｔｅｄ  ｒｅｓｏｕｒｃｅ）の値によって調整されることができる。即ち、（Ｅ）ＰＤＣＣＨによりスケジューリングされたＰＤＳＣＨ／ＰＵＳＣＨの繰り返しレベルは、スケジューリングされた（Ｅ）ＰＤＣＣＨのＴＡＲ値によって変更されることができる。または、直近に受信された（Ｅ）ＰＤＣＣＨのＴＡＲ値によってＰＤＳＣＨ／ＰＵＳＣＨの繰り返しレベルを変更することができる。例えば、特定ＵＥが（Ｅ）ＰＤＣＣＨスケジューリングＰＤＳＣＨ／ＰＵＳＣＨを受信した場合、該当ＰＤＣＣＨのＴＡＲ値からＰＤＳＣＨ／ＰＵＳＣＨの繰り返しレベルを求めることができる。または、半永久的なスケジューリング（ＳＰＳ；ｓｅｍｉ−ｐｅｒｓｉｓｔｅｎｔ  ｓｃｈｅｄｕｌｉｎｇ）ＰＤＳＣＨの場合、ＳＰＳ  ＰＤＳＣＨの繰り返しレベルは、構成された繰り返しレベルに従い、または直近にスケジューリングされた（Ｅ）ＰＤＣＣＨのＴＡＲ値によって変更されることができる。
【０１０４】
スケジューリング（Ｅ）ＰＤＣＣＨのＴＡＲ値によるＰＤＳＣＨ／ＰＵＳＣＨの繰り返しレベルは、ＴＡＲ値に対する式により定義されることができる。例えば、αが特定値の場合、ＰＤＳＣＨの繰り返しレベルは、α＊ＴＡＲに決定されることができる。その場合、αは、ＭＣＳ及びスケジューリングされたＲＢの数によって決定されることができる。例えば、ＥＰＤＣＣＨのＴＡＲ値が２４個のアグリゲーションレベル（ＡＬ；ａｇｇｒｅｇａｔｉｏｎ  ｌｅｖｅｌ）を仮定して１０個のサブフレームにわたった繰り返しを示す場合、ＭＣＳ＝５であり、スケジューリングされたＲＢの数が６であると仮定し、ＰＤＳＣＨは、１００個のサブフレーム（即ち、繰り返しレベル）にわたって繰り返される。このような場合、ＭＣＳ及び／またはスケジューリングされたＲＢの数が変更される場合、繰り返しのためのサブフレームの数は、変更されることができる。または、ＭＣＳとスケジューリングされたＲＢの数がトランスポートブロック大きさ（ＴＢＳ；ｔｒａｎｓｐｏｒｔ  ｂｌｏｃｋ  ｓｉｚｅ）を示す場合、αは、ＴＢＳによって変わることができる。
【０１０５】
または、スケジューリングされた（Ｅ）ＰＤＣＣＨのＴＡＲ値によるＰＤＳＣＨ／ＰＵＳＣＨの繰り返しレベルは、（Ｅ）ＰＤＣＣＨのＴＡＲ値またはＴＡＲ値の範囲によってあらかじめ決められる。例えば、（Ｅ）ＰＤＣＣＨのＴＡＲ値が１０乃至１４の場合、ＰＤＳＣＨ／ＰＵＳＣＨの繰り返しレベルは、２０になることができ、（Ｅ）ＰＤＣＣＨのＴＡＲ値が１５乃至２０の場合、ＰＤＳＣＨ／ＰＵＳＣＨの繰り返しレベルは、４０になることができる。ＵＥが１８である（Ｅ）ＰＤＣＣＨのＴＡＲ値を受信すると、ＵＥは、受信されるＰＤＳＣＨの繰り返しレベルが４０であることを知ることができる。この値は、ＭＣＳ、スケジューリングされたＲＢ及び／またはＴＢＳの数によって変更されることができる。
【０１０６】
（Ｅ）ＰＤＣＣＨのＴＡＲ値によるＰＤＳＣＨ／ＰＵＳＣＨの繰り返しレベルは、規格に定義されており、またはＳＩＢ、ＲＡＲまたはＲＲＣシグナリングを介してＵＥに構成されることができる。また、ＰＤＣＣＨ／ＰＵＳＣＨの繰り返しレベルを取得するために使われる（Ｅ）ＰＤＳＣＨは、特定ＤＣＩフォーマットを有する（Ｅ）ＰＤＣＣＨとして制限されることができる。
【０１０７】
また、ＰＤＳＣＨ／ＰＵＳＣＨ、ＴＢＳの繰り返しレベルとスケジューリングされたＲＢの数との間の関係は、固定されたテーブルにより構成されることができる。例えば、表２は、ＴＢＳインデックス（ＩTBS）及びスケジューリングされたＲＢ数（ＮPRB）による繰り返しレベルを示すＴＢＳテーブルの例を示す。
【０１０８】
【表２】
2018515987.tif 000016
【０１０９】
表２において、０乃至５のＴＢＳインデックスは、１から６までの繰り返しレベルに対する新しいエントリとして仮定されることができる。このような場合、繰り返しレベルは、表３のように各ＣＥレベル当たりＴＢＳテーブルで表現されることができる。
【０１１０】
【表３】
2018515987.tif 000017
【０１１１】
例えば、テーブルが各ＭＣＳに対して３ｄＢ差により生成される場合、同じＲＢを送信するのに２倍のリソースが必要である。これは他の要素を考慮して増加または減少されることができる。各々のＲＢの増加に応じてＴＢが一つのＲＢに該当する値ほど増加するため、一つのＲＢに該当する値を増加させてテーブルを生成することができる。つまり、ＴＢＳによって繰り返しレベルをさがすことができるテーブルが構成されることができる。このような場合、（Ｅ）ＰＤＣＣＨのＴＡＲ値に対するＣＥレベルに該当する値を使用することができる。ＭＣＳがＣＥレベルを示すことができ、スケジューリングされたＲＢの数が使われる場合、例示として表４が使われることができる。
【０１１２】
【表４】
2018515987.tif 000018
【０１１３】
（３）繰り返し回数は、ＤＣＩにより決定されることができ、各インデックスにより指示された値は、特定値により変更されることができる。ＤＣＩを介してＭＣＳ及びスケジューリングされたＲＢの数が受信される場合、繰り返しレベルは、前述された表４により決定されることができる。ＤＣＩを介してＣＥレベルが受信されると、繰り返しレベルは、前述された表３により決定されることができる。または、ＣＥレベルによる繰り返しレベルは、以下の表５のように明示的に構成されることができる。
【０１１４】
【表５】
2018515987.tif 000019
【０１１５】
または、ＵＥがＣＥレベルで構成される場合、各繰り返し回数ＲにＣＥレベルをかけることによって繰り返しレベルが決定されることができる。
【０１１６】
前述された方法は、ＰＤＳＣＨ及びＰＵＳＣＨの両方ともに適用されることができる。または、ＰＤＳＣＨに適用されたテーブルとＰＵＳＣＨに適用されたテーブルを別に構成できる。または、前記方法は、ＰＤＳＣＨ及びＰＵＳＣＨに対して異なるように適用されることができる。例えば、ＰＤＳＣＨの繰り返しレベルは、ＭＣＢ及びスケジューリングされたＲＢの数によって決定されることができ、それに対して、ＰＵＳＣＨの繰り返しレベルは、ＤＣＩを介して直接指示されることができる。
【０１１７】
または、ＰＵＳＣＨの繰り返しレベルは、Ｂａｓｅ＿ｒｅｐｅｔｉｔｉｏｎ＊（ＥＰＤＣＣＨまたは他の手段により指示された繰り返し回数）により決定されることができる。このような場合、ＥＰＤＣＣＨにより指示された繰り返し回数は、前述されたように、暗示的にまたは明示的に構成されることができる。Ｂａｓｅ＿ｒｅｐｅｔｉｔｉｏｎは、ＵＥの電力制限、電力等級、ネットワークまたはＭＰＲにより構成された最大電力により（最大電力に比べて）減少された電力の補償のためにネットワークにより構成されることができる。各々の値は、ＵＥにより報告されたＵＥ性能、ＰＥＭＡＸ、ＰＨＲ（または、ＭＰＲ）により決定されることができる。例えば、３ｄＢの電力減少を有するＵＥに対して、Ｂａｓｅ＿ｒｅｐｅｔｉｔｉｏｎは、２に決定されることができる。ＰＲＡＣＨ送信中にＤｅｆａｕｌｔ＿ｂａｓｅ＿ｒｅｐｅｔｉｔｉｏｎが構成されなければならず、これはＳＩＢを介してシグナリングされることができる。また、この方法は、ＵＬで繰り返しを使用するが、ＤＬで繰り返しを使用しないＵＥに適用されることができる。
【０１１８】
より具体的に、共通制御チャネル（例えば、ページング、ＳＩＢ、ＲＡＲ）の繰り返しレベルは、任意の手段により決定されることができる。例えば、共通制御チャネルの繰り返しレベルは、ＰＢＣＨ／ＳＩＢシグナリングを介してネットワークにより決定されることができる。ＳＰＳ  ＰＤＳＣＨの場合、繰り返しレベルは、共通制御チャネルと類似するように決定され、またはＳＰＳ構成により構成された繰り返しレベルとして決定され、または直近にスケジューリングされた（Ｅ）ＰＤＣＣＨにより決定されることができる。ＳＰＳ  ＰＵＳＣＨに対して、繰り返しレベルは、ＳＰＳ構成により構成された繰り返しレベルとして決定され、または直近にスケジューリングされた（Ｅ）ＰＤＣＣＨにより決定されることができる。または、ＳＰＳの場合、ネットワークで構成された最大繰り返しレベルが常にサポートされることができる。
【０１１９】
以上の説明では、便宜上、ＰＵＳＣＨの例を使用して本発明を説明した。しかし、前述した本発明は、繰り返しレベルを決定するためにＰＤＳＣＨのようなＤＬ送信にも適用されることができる。
【０１２０】
図７は、本発明の一実施例に係る端末がＰＵＣＣＨを送信する方法を示す。
【０１２１】
ステップＳ１００において、ＵＥは、ＰＵＣＣＨフォーマット別異なる繰り返し回数を構成する。ステップＳ１１０において、ＵＥは、異なる繰り返し回数のうち、対応する繰り返し回数を使用してＰＵＣＣＨフォーマットを送信する。ＰＵＣＣＨフォーマット別異なる繰り返し回数は、ＰＵＣＣＨフォーマット別実際繰り返し回数により個別的に構成されることができる。その代案として、ＰＵＣＣＨフォーマット別異なる繰り返し回数は、ＰＵＣＣＨフォーマット１に対する繰り返し回数との比率により構成されることができる。このような場合、ＰＵＣＣＨフォーマット１に対する繰り返し回数との比率は、各ＰＵＣＣＨフォーマットに対応するビットの数によって増加する。ＰＵＣＣＨフォーマットに対する送信電力は、経路損失、ＰＵＣＣＨフォーマットを介して送信されたビットの数、ペイロード大きさ、割り当てられたリソースブロックの数のうち少なくとも一つによって変更されることができる。
【０１２２】
また、ＵＥは、ＰＵＣＣＨフォーマットを送信するための電力を計算することができる。ＰＵＣＣＨフォーマットを送信するための電力は、ｍ個のサブフレームにわたって一定である。ＰＵＣＣＨフォーマットを送信するための電力は、ｍサブフレームにわたって推定された電力の最小電力になることができる。
【０１２３】
図８は、本発明の一実施例によってＵＥがＴＰＣ命令を再設定する方法を示す。
【０１２４】
ステップＳ２００において、ＵＥは、累積されたＴＰＣ命令をネットワークから受信する。ステップＳ２１０において、ＵＥは、繰り返し回数またはＣＥレベルが変更される場合、累積されたＴＰＣ命令を再設定する。繰り返しする間に繰り返し回数やＣＥ数準が変更されることができる。累積されたＴＰＣ命令は、ｆｃ（ｉ）を０に設定することによって再設定されることができる。繰り返し回数は、送信電力を制御するのに使われることができる。繰り返し回数は、ＲＲＣパラメータ、ＤＣＩまたはＰＲＡＣＨ  ＣＥレベルを介して構成されることができる。
【０１２５】
図９は、本発明の実施例が具現される無線通信システムを示す。
【０１２６】
ＢＳ８００は、プロセッサ（ｐｒｏｃｅｓｓｏｒ）８１０、メモリ（ｍｅｍｏｒｙ）８２０及び送受信部８３０を含むことができる。プロセッサ８１０は、本明細書で説明された機能、過程及び／または方法を具現するように構成されることができる。無線インターフェースプロトコルの階層は、プロセッサ８１０により具現されることができる。メモリ８２０は、プロセッサ８１０と連結され、プロセッサ８１０を駆動するための多様な情報を格納する。送受信部８３０は、プロセッサ８１０と連結され、無線信号を送信及び／または受信する。
【０１２７】
ＵＥ９００は、プロセッサ９１０、メモリ９２０及び送受信部９３０を含むことができる。プロセッサ９１０は、本明細書で説明された機能、過程及び／または方法を具現するように構成されることができる。無線インターフェースプロトコルの階層は、プロセッサ９１０により具現されることができる。メモリ９２０は、プロセッサ９１０と連結され、プロセッサ９１０を駆動するための多様な情報を格納する。送受信部９３０は、プロセッサ９１０と連結され、無線信号を送信及び／または受信する。
【０１２８】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信部８３０、９３０は、無線周波数信号を処理するためのベースバンド回路を含むことができる。実施例がソフトウェアで具現される時、前述した技法は前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段でプロセッサ８１０、９１０と連結されることができる。
【０１２９】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、他のステップと、前述と異なる順序にまたは同時に発生できる。また、当業者であれば、流れ図に示すステップが排他的でなく、他のステップが含まれるか、流れ図の一つまたはそれ以上のステップが本発明の範囲に影響を及ぼさずに削除可能であることを理解することができる。
【図１】
2018515987.tif 000020
【図２】
2018515987.tif 000021
【図３】
2018515987.tif 000022
【図４】
2018515987.tif 000023
【図５】
2018515987.tif 000024
【図６】
2018515987.tif 000025
【図７】
2018515987.tif 000026
【図８】
2018515987.tif 000027
【図９】
2018515987.tif 000028
【国際調査報告】
2018515987.tif 000029
2018515987.tif 000030
2018515987.tif 000031